(57)【要約】【課題】データドライブ集積回路の使用チャンネルの配列が改善されたプラズマディスプレイ装置を提供する。【解決手段】本発明によるプラズマディスプレイ装置は、第１及び第２画面領域にそれぞれ対応し、互いにマッチする第１及び第２アドレス電極群を有するプラズマディスプレイパネルを含む。前記第１データドライブ集積回路は第１アドレス電極群に接続されたチャンネルを含むことができる。前記第２データドライブ集積回路は第２アドレス電極群に接続されたチャンネルを含むことができる。前記第１画面領域の一方から第１データドライブ集積回路のｎ番目のチャンネルはダミーチャンネルであり、前記第１画面領域の他方からｎ番目のチャンネルはダミーチャンネルであり、前記第１画面領域が一方にマッチしており、前記第２画面領域の一方から第２データドライブ集積回路のｎ番目のチャンネルはダミーチャンネルであることができる。【選択図】図１
2006293357.tif 000002
【特許請求の範囲】
【請求項１】
プラズマディスプレイ装置において、
第１及び第２画面領域にそれぞれ対応する第１及び第２アドレス電極群を有するプラズマディスプレイパネルと、
前記第１アドレス電極群に接続されたチャンネルをそれぞれ有し、少なくとも第１データドライブ集積回路及び第２データドライブ集積回路を含む複数の第１データドライブ集積回路と、
前記第２アドレス電極群に接続されたチャンネルをそれぞれ有し、少なくとも第３データドライブ集積回路を含む複数の第２データドライブ集積回路と、を備えてなり、
前記第１画面領域の第１側から前記第１データドライブ集積回路のｎ番目のチャンネルはダミーチャンネルを含み、前記第１画面領域の第２側から前記第２データドライブ集積回路のｎ番目のチャンネルはダミーチャンネルを含み、前記第２画面領域の第１側から前記第３データドライブ集積回路のｎ番目のチャンネルはダミーチャンネルを含み、前記第１画面領域の第１側及び前記第２画面領域の第１側は前記プラズマディスプレイパネルの同一面に対応することを特徴とする、プラズマディスプレイ装置。
【請求項２】
前記ダミーチャンネルは、前記第１アドレス電極群又は前記第２アドレス電極群に接続されていることを特徴とする、請求項１に記載のプラズマディスプレイ装置。
【請求項３】
前記ダミーチャンネルは、前記プラズマディスプレイ装置の動作中にデータが供給されないチャンネルであることを特徴とする、請求項１に記載のプラズマディスプレイ装置。
【請求項４】
前記ダミーチャンネル以外の前記チャンネルは、データが供給される有効チャンネルであることを特徴とする、請求項１に記載のプラズマディスプレイ装置。
【請求項５】
前記複数の第１データドライブ集積回路の数は、前記複数の第２データドライブ集積回路の数と等しいことを特徴とする、請求項１に記載のプラズマディスプレイ装置。
【請求項６】
前記第１画面領域の第１側から前記複数の第１データドライブ集積回路のうちｍ番目のデータドライブ集積回路のチャンネル数は、前記第１画面領域の第２側から前記複数の第１データドライブ集積回路のうちｍ番目のデータドライブ集積回路のチャンネル数及び、前記第２画面領域の第１側から前記複数の第２データドライブ集積回路のうちｍ番目のデータドライブ集積回路のチャンネル数と同一であることを特徴とする、
請求項１に記載のプラズマディスプレイ装置。
【請求項７】
前記第１データドライブ集積回路に接続されたチャンネルの数は、前記第２データドライブ集積回路に接続されたチャンネルの数と等しいことを特徴とする、請求項１に記載のプラズマディスプレイ装置。
【請求項８】
前記複数の第１データドライブ集積回路の前記ダミーチャンネルは、前記プラズマディスプレイパネルの一側に沿って対称的に配置されていることを特徴とする、請求項１に記載のプラズマディスプレイ装置。
【請求項９】
前記複数の第２データドライブ集積回路の前記ダミーチャンネルは、前記プラズマディスプレイパネルの他側に沿って対称的に配置されていることを特徴とする、請求項１に記載のプラズマディスプレイ装置。
【請求項１０】
前記第１画面領域の第１側から前記複数の第１データドライブ集積回路のうちｍ番目のデータドライブ集積回路のダミーチャンネルの数は、前記第１画面領域の第２側から前記複数の第１データドライブ集積回路のうちｍ番目のデータドライブ集積回路のダミーチャンネルの数及び、前記第２画面領域の第１側から前記複数の第２データドライブ集積回路のうちｍ番目のデータドライブ集積回路のダミーチャンネルの数と同一であることを特徴とする、請求項８に記載のプラズマディスプレイ装置。
【請求項１１】
前記第１画面領域の第１側から前記複数の第１データドライブ集積回路のうちｍ番目のデータドライブ集積回路のダミーチャンネルの配列は、前記第１画面領域の第２側から前記複数の第１データドライブ集積回路のうちｍ番目のデータドライブ集積回路のダミーチャンネルの配列及び、前記第２画面領域の第１側から前記複数の第２データドライブ集積回路のうちｍ番目のデータドライブ集積回路のダミーチャンネルの配列と同一であることを特徴とする、請求項８に記載のプラズマディスプレイ装置。
【請求項１２】
前記複数の第１データドライブ集積回路のそれぞれ及び前記複数の第２データドライブ集積回路のそれぞれは、少なくとも１つのダミーチャンネルを含むことを特徴とする、請求項８に記載のプラズマディスプレイ装置。
【請求項１３】
前記複数の第１データドライブ集積回路のうち少なくとも１つの全てのチャンネル及び前記複数の第２データドライブ集積回路のうち少なくとも１つの全てのチャンネルは、データが供給されない有効チャンネルであることを特徴とする、
請求項１に記載のプラズマディスプレイ装置。
【請求項１４】
前記第１画面領域の第１側の近くに位置した前記複数の第１データドライブ集積回路のうち１つと、前記第１画面領域の第２側の近くに位置した前記複数の第１データドライブ集積回路のうちもう１つは、前記第１画面領域の前記全てのダミーチャンネルを含み、
前記第２画面領域の第１側の近くに位置した前記複数の第２データドライブ集積回路のうち１つと、前記第２画面領域の第２側の近くに位置した前記複数の第２データドライブ集積回路のうちもう１つは、前記第２画面領域の前記全てのダミーチャンネルを含むことを特徴とする、請求項８に記載のプラズマディスプレイ装置。
【請求項１５】
前記第１画面領域に接続された前記複数の第１データドライブ集積回路のダミーチャンネルの総個数は、前記第２画面領域に接続された前記複数の第２データドライブ集積回路のダミーチャンネルの総個数と等しいことを特徴とする、請求項１に記載のプラズマディスプレイ装置。
【請求項１６】
前記第１画面領域の前記ダミーチャンネルの配列は水平に対称であり、前記第２画面領域の前記ダミーチャンネルの配列は水平に対称であり、そして前記第１画面領域の前記ダミーチャンネルの配列及び前記第２画面領域の前記ダミーチャンネルの配列は、前記第１画面領域と前記第２画面領域との間の境界の近くで互いに対称であることを特徴とする、請求項１に記載のプラズマディスプレイ装置。
【請求項１７】
前記複数の第１データドライブ集積回路は少なくとも４つのデータドライブ集積回路を含み、前記複数の第２データドライブ集積回路は少なくとも４つのデータドライブ集積回路を含むことを特徴とする、請求項１に記載のプラズマディスプレイ装置。
【請求項１８】
前記複数の第１データドライブ集積回路にデータを供給する第１データ整列部と、
前記複数の第２データドライブ集積回路にデータを供給する第２データ整列部と、を更に含むことをことを特徴とする請求項１に記載のプラズマディスプレイ装置。
【請求項１９】
前記第１データ整列部は、前記複数の第１データドライブ集積回路にデータを供給し、
前記第２データ整列部は、前記複数の第２データドライブ集積回路から前記第２アドレス電極群に印加される第２領域データが、前記複数の第１データドライブ集積回路から前記第１アドレス電極群に印加される第１領域データにマッチするように、前記データを再整列し、前記第２データ整列部は、前記複数の第２データドライブ集積回路にデータを印加するすることを特徴とする、請求項１８に記載のプラズマディスプレイ装置。
【請求項２０】
前記第２データ整列部は、前記第１領域データを前記複数の第１データドライブ集積回路に対応するデータに逆転させ、前記逆転された第１領域データを前記複数の第１データドライブ集積回路に対応する前記データに逆転させることにより、前記データを再整列することを特徴とする、請求項１９に記載のプラズマディスプレイ装置。
【請求項２１】
前記複数の第１データドライブ集積回路に印加される前記データは、前記複数の第２データドライブ集積回路に印加される前記データと同じ順序で印加されることを特徴とする、請求項１９に記載のプラズマディスプレイ装置。
【請求項２２】
ディスプレイ装置において、
第１側、第２側、第３側、及び第４側を有し、第１画面領域に対応する第１アドレス電極群及び第２画面領域に対応する第２アドレス電極群を含むディスプレイパネルと、
前記ディスプレイパネルの前記第１側の近くに設けられ、それぞれ前記第１アドレス電極群に接続されたチャンネルを含む複数の第１データドライブ集積回路と、
前記ディスプレイパネルの前記第３側の近くに設けられ、それぞれ前記第２アドレス電極群に接続されたチャンネルを含む複数の第２データドライブ集積回路と、を備えてなり、
前記複数の第１データドライブ集積回路のｎ番目のチャンネルはダミーチャンネルを含み、前記複数の第１データドライブ集積回路の（Ｎ−ｎ）番目のチャンネルはダミーチャンネルを含み、前記ダミーチャンネルは前記パネルの前記第１側に沿って対称的に配列されていることを特徴とする、ディスプレイ装置。
【請求項２３】
前記複数の第２データドライブ集積回路のｎ番目のチャンネルはダミーチャンネルを含み、前記第１アドレス電極群の前記ダミーチャンネルは、前記ディスプレイパネルの中心領域を中心として前記第２アドレス電極群の前記ダミーチャンネルと対称的になっていることを特徴とする、請求項２２に記載のディスプレイ装置。
【請求項２４】
前記ダミーチャンネルはデータが供給されないチャンネルであることを特徴とする、請求項２２に記載のディスプレイ装置。
【請求項２５】
前記ダミーチャンネル以外のチャンネルはデータが供給される有効チャンネルであることを特徴とする、請求項２４に記載のディスプレイ装置。
【請求項２６】
前記ディスプレイパネルの前記第４側から前記複数の第１データドライブ集積回路のうちｍ番目のデータドライブ集積回路のチャンネル数は、前記ディスプレイパネルの前記第２側から前記複数の第１データドライブ集積回路のうちｍ番目のデータドライブ集積回路のチャンネル数及び、前記ディスプレイパネルの前記第４側から前記複数の第２データドライブ集積回路のうちｍ番目のデータドライブ集積回路のチャンネル数と同一であることを特徴とする、
請求項２１に記載のディスプレイ装置。
【請求項２７】
前記ディスプレイパネルの前記第４側から前記複数の第１データドライブ集積回路のうちｍ番目のデータドライブ集積回路のダミーチャンネルの数は、前記ディスプレイパネルの前記第２側から前記複数の第１データドライブ集積回路のうちｍ番目のデータドライブ集積回路のダミーチャンネルの数及び、前記ディスプレイパネルの前記第４側から前記複数の第２データドライブ集積回路のうちｍ番目のデータドライブ集積回路のダミーチャンネルの数と同一であることを特徴とする、
請求項２１に記載のディスプレイ装置。
【請求項２８】
前記ディスプレイパネルの前記第４側から前記複数の第１データドライブ集積回路のうちｍ番目のデータドライブ集積回路のダミーチャンネルの配列は、前記ディスプレイパネルの前記第２側から前記複数の第１データドライブ集積回路のうちｍ番目のデータドライブ集積回路のダミーチャンネルの配列及び、前記ディスプレイパネルの前記第４側から前記複数の第２データドライブ集積回路のうちｍ番目のデータドライブ集積回路のダミーチャンネルの配列と同一であることを特徴とする、
請求項２１に記載のディスプレイ装置。
【請求項２９】
前記ディスプレイパネルの前記第１画面領域における前記複数の第１データドライブ集積回路のダミーチャンネルの総個数は、前記ディスプレイパネルの前記第２画面領域における前記複数の第２データドライブ集積回路のダミーチャンネルの総個数と等しいことを特徴とする、請求項２２に記載のディスプレイ装置。
【請求項３０】
前記第１画面領域における前記ダミーチャンネルの配列は水平に対称であり、前記第２画面領域における前記ダミーチャンネルの配列は水平に対称であり、そして前記第１画面領域における前記ダミーチャンネルの配列及び前記第２画面領域における前記ダミーチャンネルの配列は、前記第１画面領域と前記第２画面領域との間の境界の近くで互いに対称であることを特徴とする、請求項２９に記載のディスプレイ装置。
【請求項３１】
前記複数の第１データドライブ集積回路にデータを供給する第１データ整列部と、
前記複数の第２データドライブ集積回路にデータを供給する第２データ整列部と、を更に含み、
前記第２データ整列部は、前記複数の第２データドライブ集積回路から前記第２アドレス電極群に印加される第２領域データが、前記複数の第１データドライブ集積回路から前記第１アドレス電極群に印加される第１領域データにマッチするように、前記データを再整列し、前記第２データ整列部は、前記複数の第２データドライブ集積回路に前記整列されたデータを印加することをことを特徴とする、請求項２９に記載のディスプレイ装置。
【発明の詳細な説明】
【技術分野】
【０００１】
本発明は、データドライブ集積回路のチャンネルの配列を含むプラズマディスプレイ装置に関する。また、本発明は、２つの領域に分割されて駆動されるプラズマディスプレイパネルのアドレス電極の総数が全てのデータドライブ集積回路に含まれたチャンネルの数と相異なるとき、各領域にデータ信号をマッチさせることができるプラズマディスプレイ装置に関する。
【背景技術】
【０００２】
一般に、プラズマディスプレイパネルは、前面パネルと後面パネルとの間に形成された隔壁が一つの単位セルをなすもので、各セル内にはネオン（Ｎｅ）、ヘリウム（Ｈｅ）、或いはネオン及びヘリウムの混合気体（Ｎｅ＋Ｈｅ）のような主放電気体及び少量のキセノンを含有する不活性ガスが充填されている。高周波電圧によって放電が行われるとき、不活性ガスは真空紫外線（Vacuum Ultraviolet rays）を発生し、隔壁間に形成された蛍光体を発光させることにより画像が具現される。このようなプラズマディスプレイパネルは軽薄化が可能であるので、次世代の表示装置として注目を浴びている。
【発明の開示】
【発明が解決しようとする課題】
【０００３】
本発明の目的は、データドライブ集積回路の使用チャンネル（有効チャンネル）及び非使用チャンネル（又はダミーチャンネル）の配列構造を改善することで、複雑なデータの処理工程無しに各アドレス電極ライン別にデータ信号が効果的にマッチできるプラズマディスプレイ装置及びその駆動方法を提供することにある。
【課題を解決するための手段】
【０００４】
前記の目的を達成するために、本発明の一実施形態によれば、第１及び第２画面領域にそれぞれ対応し、互いにマッチする第１及び第２アドレス電極群を有するプラズマディスプレイパネルを含むプラズマディスプレイ装置が提供される。前記第１アドレス電極群に接続されたチャンネルを含む第１データドライブ集積回路が提供され、前記第２電極群に接続されたチャンネルを含む第２データドライブ集積回路も提供される。前記第１画面領域の第１側から前記第１データドライブ集積回路のｎ番目のチャンネルはダミーチャンネルであり、前記第１画面領域の第２側からｎ番目のチャンネルはダミーチャンネルであり、前記第１画面領域の第１側にマッチしており、前記第２画面領域の第１側から第２データドライブ集積回路のｎ番目のチャンネルもダミーチャンネルである。
【０００５】
本発明の例示的な実施形態によれば、プラズマディスプレイ装置の駆動方法が提供される。この方法は第１データドライブ集積回路にデータを印加し、第２データドライブ集積回路から第２電極群に印加される第２領域データが第１データドライブ集積回路から第１電極群に印加される第１領域データにマッチするように前記データを再整列することを含む。前記再整列されたデータは第２データドライブ集積回路に印加できる。
【発明の効果】
【０００６】
本発明によれば、２つの領域に分割されて駆動されるプラズマディスプレイパネルのアドレス電極の総数が全てのデータドライブ集積回路に含まれたチャンネルの数と相異なるとき、各領域に印加されたデータ信号はデータドライブ集積回路の使用チャンネルの配列構造を改善することによってマッチできる。
【発明を実施するための最良の形態】
【０００７】
以下、添付図面を参照して本発明による実施形態をより詳細に説明する。
【０００８】
図１は、例示的な構成によるプラズマディスプレイパネルを示す斜視図であり、他の構成も可能である。
【０００９】
図１に示したように、プラズマディスプレイパネルは、画像が表示される表示面である前面基板１０１にそれぞれ走査電極１０２及び維持電極１０３からなる複数の維持電極対が配列された前面パネル１００と、背面をなす背面基板１１１上に前記複数の維持電極対と交差するように配列された複数のアドレス電極１１３が配列された後面パネル１１０とを含む。前記前面パネル１００と前記後面パネル１１０は一定の間隔を隔てて平行に配置されている。
【００１０】
前面パネル１００は、１つの放電セルで相互放電させ、セルの発光を維持するための走査電極１０２及び維持電極１０３、即ち透明なＩＴＯ物質からなる透明電極ａと金属材からなるバス電極ｂとからなる走査電極１０２及び維持電極１０３が対を成して含まれる。走査電極１０２及び維持電極１０３は、放電電流を制限し、電極対間を絶縁させる１つ以上の上部誘電体層１０４によって覆われ、上部誘電体層１０４の上面には、放電条件を容易にするために酸化マグネシウム（ＭｇＯ）を蒸着した保護層１０５が形成される。
【００１１】
後面パネル１１０には、複数の放電空間（即ち、放電セル）を形成するためのストライプタイプ（或いはウェルタイプ）の隔壁１１２が平行を維持して配列される。また、アドレス放電を行って真空紫外線を発生させる多数のアドレス電極１１３が隔壁１１２に対して平行に配置される。後面パネル１１０の上側面にはアドレス放電時に画像表示のための可視光線を放出するＲ、Ｇ、Ｂ蛍光体１１４が塗布される。アドレス電極１１３と蛍光体１１４との間にはアドレス電極１１３を保護するための下部誘電体層１１５が形成される。
【００１２】
このような構造のプラズマディスプレイパネルは、放電セルがマトリックス（Matrix）配列構造で複数個が形成される。かかる放電セルは、走査電極又は維持電極が前述したアドレス電極と交差する地点に形成されるが、このように複数の放電セルをマトリックス配列構造に形成するための電極配列を図２を参照して以下に説明する。
【００１３】
図２は、例示的な構成によるプラズマディスプレイパネルにおける電極の配列を示す図である。これと異なる構成も可能である。
【００１４】
図２に示したように、プラズマディスプレイパネル２００において、複数の走査電極Ｙ１〜Ｙｎと維持電極Ｚ１〜Ｚｎが互いに平行に配列される。複数のアドレス電極Ｘ１〜Ｘｍが前記複数の走査電極Ｙ１〜Ｙｎ及び前記維持電極Ｚ１〜Ｚｎに交差するように配列される。
【００１５】
前記プラズマディスプレイパネル２００の電極に所定の駆動信号を印加するための駆動回路が接続される。駆動回路はプラズマディスプレイパネル２００の電極に駆動信号を印加して画像を具現する。このようにプラズマディスプレイパネル２００に駆動回路が接続された構造をプラズマディスプレイ装置という。
【００１６】
一方、プラズマディスプレイパネル２００のサイズが大きくなることにつれ、１つのデータ駆動部を用いて全ての放電セルをアドレスする場合には、アドレス期間があまりに長くなり、維持期間の長さが減少する。その結果、全体として維持パルスの個数が減少するので、プラズマディスプレイパネルの駆動時に具現される輝度が減少することになる。
【００１７】
アドレス期間があまり長くなることを防止するために、１つのプラズマディスプレイパネルを２つの領域に分け、前記分けられた２つの領域のそれぞれをアドレスするデュアルスキャン方式が利用できる。このような方式の例が図３に示されている。
【００１８】
図３は、例示的な構成によるデュアルスキャン方式を説明するための図である。これと異なる構成も可能である。図３に示したように、デュアルスキャン方式において、１つのプラズマディスプレイパネル３００は、２つの領域（即ち、領域Ａ３０１と領域Ｂ３０２）に分けられる。各領域３０１、３０２でアドレスが同時に遂行される。例えば、図３において、プラズマディスプレイパネル３００は領域Ａ３０１の放電セルをアドレスするための駆動部（図示せず）及び領域Ｂ３０２の放電セルをアドレスするための駆動部（図示せず）を含む。これらの駆動部は、領域Ａ３０１の放電セル及び領域Ｂ３０２の放電セルを同時にアドレスすることができる。
【００１９】
次に、このようなデュアルスキャン方式における駆動部の接続構造を図４を参照して説明する。図４は例示的な構成によるデュアルスキャン方式における駆動部の接続構造を説明するための図である。これと異なる構成も可能である。
【００２０】
図４に示したように、１つのプラズマディスプレイパネル４００が２つの領域（即ち、領域Ａ４０１と領域Ｂ４０２）に分けられる例、制御板(control board)４０３は、領域Ａ４０１に整列されたデータを供給するための第１データ整列部４０４と、領域Ｂ４０２に整列されたデータを供給するための第２データ整列部４０５とを含む。
【００２１】
また、領域Ａ４０１のアドレス電極を駆動するための複数のデータドライブ集積回路４０６と、領域Ｂ４０２のアドレス電極を駆動するための複数のデータドライブ集積回路４０７とがプラズマディスプレイパネル４００に接続される。
【００２２】
このような構造において、前記第１データ整列部４０４が整列したデータをデータドライブ集積回路４０６に供給すると、各データドライブ集積回路４０６は領域Ａ４０１のアドレス電極に整列されたデータを印加する。また、第２データ整列部４０５が整列したデータはデータドライブ集積回路４０７によって領域Ｂ４０２のアドレス電極に供給される。即ち、１つのアドレス電極は２つの領域に分けられ、２つの領域の分割された電極は相異なるデータドライブ集積回路によってそれぞれ駆動される。次に、このようなプラズマディスプレイ装置で具現される画像の例を図５を参照して説明する。
【００２３】
図５は、例示的な構成によるプラズマディスプレイ装置で具現される画像を説明するための図である。これと異なる構成も可能である。
【００２４】
図５を参照すると、プラズマディスプレイパネル５００の２つの領域５０１、５０２上において画像が表示できる。もし、領域５０１及び領域５０２の画像がマッチされる必要がある例、データドライブ集積回路５０６及びデータドライブ集積回路５０７によって供給するデータ信号がマッチされなければならない。例えば、データドライブ集積回路５０６のうちデータドライブ集積回路Ａが領域５０１のアドレス電極によって供給されるデータ信号とデータドライブ集積回路５０７のうちデータドライブ集積回路Ａが領域５０２のアドレス電極によって供給されるデータ信号とが互いにマッチされなければならない。
【００２５】
つまり、プラズマディスプレイパネル５００上のＸ１アドレス電極の場合、領域５０１上のＸ１アドレス電極にはデータドライブ集積回路５０６のうちデータドライブ集積回路Ａがデータ信号を供給し、領域５０２上のＸ１アドレス電極にはデータドライブ集積回路５０７のうちデータドライブ集積回路Ａがデータ信号を供給する。従って、このようなＸ１アドレス電極に供給されるデータ信号（即ち、データドライブ集積回路５０６のうちデータドライブ集積回路Ａが供給するデータ信号とデータドライブ集積回路５０７のうちデータドライブ集積回路Ａが供給するデータ信号）はマッチされなければならない。
【００２６】
次に、データ信号をマッチングさせる方法の例を図６を参照して説明する。図６は例示的な構成によるプラズマディスプレイパネルの２つの領域に供給されるデータ信号をマッチさせる方法を説明するための図である。これと異なる構成も可能である。
【００２７】
図６を参照すると、プラズマディスプレイパネル６００の領域Ｂ６０２に供給されるデータ信号を整列するための第２データ整列部６０５から領域Ｂ６０２のアドレス電極に供給されるデータ信号の供給方向は、第１データ整列部６０４から印加される信号の供給方向と同一である。このように第１データ整列部６０４及び第２データ整列部６０５の供給方向が同一な理由は、第１データ整列部６０４と第２データ整列部６０５が実質的に同一な構造を有するためである。その結果、第２データ整列部６０５から領域Ｂ６０２に供給されるデータパルス（若しくは信号や波形）は前述した第１データ整列部６０４から領域Ａ６０１に供給されるデータパルス（若しくは信号や波形）に比してもっと長い供給経路を有する。
【００２８】
また、データパルスが第２データ整列部６０５から領域Ｂ６０２に供給される導線は、線形と比較して曲線形態を有することができる。従って、第２データ整列部６０５から領域Ｂ６０２に供給されるデータパルスは第１データ整列部６０４から供給されるデータ信号に比べてより多くのノイズを有する可能性があり、また電圧降下の問題が発生する恐れがある。
【００２９】
従って、第２データ整列部６０５から供給されるデータ信号の供給方向を第１データ整列部６０４から供給されるデータ信号の供給方向と逆に設定できる。これを図７を参照して以下に説明する。
【００３０】
特に、図７は例示的な構成によるプラズマディスプレイパネルの２つの領域に供給されるデータ信号をマッチさせる方法を説明するための図である。これと異なる構成も可能である。
【００３１】
図７に示したように、プラズマディスプレイパネル７００の領域Ｂ７０２に供給されるデータ信号を整列するための第２データ整列部７０５から領域Ｂ７０２の各アドレス電極に供給されるデータ信号の供給方向は、第１データ整列部７０４から供給される信号の供給方向と逆方向である。しかし、このような第１データ整列部７０４と第２データ整列部７０５は実質的に同じ構造を有することができる。よって、図７に示したように、第１データ整列部７０４及び第２データ整列部７０５のデータ供給方向が互いに逆方向に設定されると、アドレス電極に供給されるデータ信号がマッチングされない。例えば、第１データ整列部７０４から領域Ａ７０１のデータドライブ集積回路Ａ７０６へ供給されるデータ信号と同じデータ信号が、領域Ｂ７０２で第２データ整列部７０５からデータドライブ集積回路７０７の中でデータドライブ集積回路Ｄへ供給され得る。
【００３２】
このようなデータ信号の非マッチング（non-matching）問題を解決するために、第２データ整列部７０５でデータ信号の順序を調節することができる。この方法を図８ａ乃至図８ｃを参照して以下に説明する。
【００３３】
図８ａ乃至図８ｃは、例示的な構成によるデータ信号をマッチさせるためのデータ信号の順序を説明するための図である。これと異なる構成も可能である。
【００３４】
図８ａは、データ信号の順序を調節する前のデータ供給経路を示している。即ち、１つのプラズマディスプレイパネル８００を２つの領域８０１、８０２に分けて駆動する例であって、領域８０１にデータ信号を供給するためのデータドライブ集積回路を総４個のデータドライブ集積回路Ａ、Ｂ、Ｃ、Ｄ８０６に設定し、領域８０３にデータ信号を供給するためのデータドライブ集積回路を総４個のデータドライブ集積回路Ａ、Ｂ、Ｃ、Ｄ８０７に設定すると仮定するとき、第１データ整列部８０４と第２データ整列部８０５のデータ供給方向が互いに逆方向である。その結果、データドライブ集積回路Ａ、Ｂ、Ｃ、Ｄ８０６に供給されるデータ信号とデータドライブ集積回路Ａ、Ｂ、Ｃ、Ｄ８０７に供給されるデータは互いに逆となる。
【００３５】
図８Ｂに示したように、図８ａと反対のデータをマッチングさせるために、第２データ整列部８０５からデータ信号を受信するデータドライブ集積回路Ａ、Ｂ、Ｃ、Ｄ８０７へ供給されるデータの順序を逆転させる。即ち、図８ａにおいて、データドライブ集積回路Ｄに印加されるデータ信号とデータドライブ集積回路Ａに印加されるデータ信号とを互いに取り替え、データドライブ集積回路Ｃに印加されるデータ信号とデータドライブ集積回路Ｂに印加されるデータ信号とを互いに取り替えた。
【００３６】
図８ｃに示したように、図８Ｂにおいてそれぞれのデータドライブ集積回路別に互いに取り替えたデータをそれぞれのデータドライブ集積回路内でデータの供給順序を変える。例えば、図８Ｂにおいてデータドライブ集積回路Ａ８０７に供給されるデータが４、３、２、１の順序であることに対し、このようなデータの順序はデータドライブ集積回路Ａ８０６と逆順である。従って、データドライブ集積回路Ａ８０７から供給されるデータの順序を逆として１、２、３、４の順にする。
【００３７】
つまり、２段階のデータ補正処理（以下、データ補正処理という）を経て第１データ整列部８０４から供給されるデータ信号と第２データ整列部８０５から供給されるデータ信号とがマッチできる。
【００３８】
しかし、２段階補正処理を経てデータ信号をマッチングさせる方法は、プラズマディスプレイパネルの全ての電極ラインの数と全てのデータドライブ集積に含まれたチャンネルの総個数数とが等しい例のみに適用可能である。例えば、１つのプラズマディスプレイパネルの横方向に全ての放電セルの個数が１９２０個であるとき、アドレス電極ラインは通常、赤色（Red）、緑色（Green）、青色（Blue）別にそれぞれ具備されるので、アドレス電極ラインの総個数は１９２０×３＝５６７０個である。この際、それぞれ１９２個ずつのチャンネルを有するデータドライブ集積回路が使用される場合、総３０個のデータドライブ集積回路を用いると１９２×３０＝５６７０となる。従って、前記図８ａ乃至図８ｃの方法が使用可能になる。
【００３９】
しかし、もし１つのデータドライブ集積回路が２５６個のチャンネルを有し、１つのプラズマディスプレイパネルのアドレス電極ラインの総個数が５６７０であると、データドライブ集積回路の数が少なくとも２３個であるとき、５６７０個のアドレス電極ラインにデータ信号を印加することができる。これを図９を参照して以下に説明する。
【００４０】
図９は、例示的な構成による一つのデータドライブ集積回路が２５６個のチャンネルを有する例を説明するための図である。これと異なる構成も可能である。
【００４１】
図９に示したように、１つのプラズマディスプレイパネルが総５６７０個のアドレス電極ラインを具備し、各データドライブ集積回路は２５６個のチャンネルを具備すると仮定するとき、最小限２３個が必要である。すなわち、２５６個のチャンネルを有するデータドライブ集積回路が２２個である場合は、総２５６×２２＝５６３２個のチャンネルを提供する。従って、全てのアドレス電極ラインにデータ信号を印加することができない。これに対し、もしデータドライブ集積回路の数が２３である場合は、総２５６×２３＝５８８８個のチャンネルが提供できる。従って、全てのアドレス電極ラインにデータ信号を印加することができる。
【００４２】
しかし、このように２５６個のチャンネルを有するデータドライブ集積回路を総２３個具備するとき、アドレス電極ラインの総数に比して１２８個のチャンネルが残るようになる。かかる余りのチャンネルを処理するために、図９に示されたように、いずれか一つのデータドライブ集積回路においてアドレス電極ラインの総個数に比べてより多くのチャンネルをダミーチャンネルに設定する。例えば、いずれか一つのデータドライブ集積回路において１番から１２８番までのチャンネルをダミーチャンネルに設定でき、１２９番以降のチャンネルを有効チャンネルに設定できる。このように有効チャンネルに設定されたチャンネルはプラズマディスプレイパネルのアドレス電極と電気的に接続されることに対し、ダミーチャンネルに設定されたチャンネルはアドレス電極と接続されない。
【００４３】
次に、図１０ａ乃至図１０ｄを参照してデータ信号をマッチさせるためにデータ信号の順序を調節する方法を説明する。特に、図１０ａ乃至図１０ｃは例示的な構成による図９の配列において、データ信号のマッチングのためにデータ信号を順序を調節することを説明するための図である。これと異なる構成も可能である。
【００４４】
図１０ａに示したように、図８ａの配列と異なり、複数のデータドライブ集積回路のうちドライブ集積回路Ａにおいてデータ信号が供給されないチャンネルが存在する。例えば、データドライブ集積回路Ａ１００６において、第１番目及び第２番目のチャンネルにデータ信号が印加されないかもしれない。即ち、データドライブ集積回路Ａにおいて、第１番目及び第２番目のチャンネルがダミーチャンネル（非使用）として設定されることができる。図１０ａ乃至図１０ｄはデータドライブ集積回路の総個数が６個であり、各データドライブ集積回路が６個のチャンネルを含む例を例示している。
【００４５】
このような配列において、図８ａと同様に、第１データ整列部１００４と第２データ整列部１００５のデータ供給方向が互いに逆方向であるとき、データドライブ集積回路Ａ１００７では５番目及び６番目のチャンネルにデータが供給されないようになり、このためデータ信号がマッチされないことになる。
【００４６】
図１０ｂに示したように、図１０ａとは逆であるデータをマッチさせるために、第２データ整列部１００５からデータ信号を受信するデータドライブ集積回路Ａ、Ｂ、Ｃ１００７へ供給されるデータの順序を逆転させる。即ち、図１０ａにおいて、データドライブ集積回路Ｃ印加されるデータ信号とデータドライブ集積回路Ａに印加されるデータ信号とを互いに取り替えた。
【００４７】
図１０ｃでは、図１０ｂの各データドライブ集積回路で互いに取り替えたデータの供給順序を変える。例えば、図１０Ｂにおいてデータドライブ集積回路Ａ１００７に供給されるデータが４、３、２、１の順であるが、このようなデータの順序はデータドライブ集積回路Ａ１００６のそれと逆順である。従って、図１０ｃではデータドライブ集積回路Ａ１００７に供給されるデータの順序を逆転させて１、２、３、４の順にする。
【００４８】
図１０ｃにおいて、データドライブ集積回路Ａ１００７のデータ配列順序は１、２、３、４であって、これはデータドライブ集積回路Ａ１００６と同一であるが、ダミーチャンネルの位置が互いに反対である。従って、データドライブ集積回路Ａ１００６が供給するデータ信号とデータドライブ集積回路Ａ１００７が供給するデータ信号とがミスマッチ（mismatch）される。従って、データ信号をマッチさせるためにデータドライブ集積回路Ａ１００７のデータを右側方向に２段階シフトさせる。
【００４９】
しかし、前記のような方法において、データ処理工程があまり複雑となり、このためデータ処理工程でエラーが発生する恐れがある。このため、画質が劣化することができる。しかも、データドライブ集積回路をアドレス電極ラインと電気的に接続する工程中に発生したエラーのため、プラズマディスプレイパネルの信頼性が低下するという問題がある。
【００５０】
以下、本発明の例示的な実施形態によるプラズマディスプレイ装置について説明する。
【００５１】
図１１は、本発明の例示的な実施形態によるプラズマディスプレイ装置を説明するための図である。尚、本発明の範囲内で他の実施形態及び構成も可能である。特に、このプラズマディスプレイ装置は、プラズマディスプレイパネル１１００、複数のチャンネルをそれぞれ有する複数のデータドライブ集積回路、第１データ整列部１１０４、及び第２データ整列部１１０５を含む。
【００５２】
前記プラズマディスプレイパネル１１００は、複数のアドレス電極が形成される。前記プラズマディスプレイパネル１１００は、その画面領域が２つの領域（例えば、領域Ａ１１０１と領域Ｂ１１０２）に分けられて駆動される。第１画面に対応するアドレス電極を“第１アドレス電極群”といい、第２画面に対応するアドレス電極を“第２アドレス電極群”という。
【００５３】
第１データ整列部１１０４は、前記プラズマディスプレイパネル１１００上の領域Ａ１１０１のアドレス電極（即ち、第１アドレス電極群）と接続されるデータドライブ集積回路Ａ、Ｂ、Ｃ、…Ｄ、Ｅ、Ｆに整列されたデータ信号を供給する。プラズマディスプレイパネル１１００の画面領域の領域Ａ１１０１に対応するアドレス電極群に接続されたデータドライブ集積回路Ａを“第１データドライブ集積回路”又は“複数の第１データドライブ集積回路”という。
【００５４】
第２データ整列部１１０５は、前記プラズマディスプレイパネル１１００上の領域Ｂ１１０２のアドレス電極（即ち、第２アドレス電極群）と接続されるデータドライブ集積回路Ａ、Ｂ、Ｃ、…Ｄ、Ｅ、Ｆに整列されたデータ信号を供給する。プラズマディスプレイパネル１１００の画面領域の領域Ｂ１１０２に対応するアドレス電極群に接続されたデータドライブ集積回路Ｂを“第２データドライブ集積回路”又は“複数の第２データドライブ集積回路”という。
【００５５】
データドライブ集積回路の数（即ち、第１データドライブ集積回路のチャンネル数と第２データドライブ集積回路のチャンネル数）は同一であることが好ましい。
【００５６】
また、複数のチャンネルを含む複数のデータドライブ集積回路Ａ、Ｂ、Ｃ、…Ｄ、Ｅ、Ｆはプラズマディスプレイパネル１１００の２つの領域（即ち、領域Ａ１１０１及び領域Ｂ１１０２）で複数のアドレス電極（即ち、第１アドレス電極群及び第２アドレス電極群）に電気的に接続される。１つ以上のデータドライブ集積回路において複数のチャンネルは有効チャンネルとダミーチャンネルとに区分される。
【００５７】
ここで、ダミーチャンネルとは、第１及び第２アドレス電極群に接続されないか、或いはデータが供給されないチャンネルを指す。また、有効チャンネルとは、ダミーチャンネル以外のチャンネルを指す。
【００５８】
もし、第１画面領域の一方（即ち、領域Ａ１１０１）から、プラズマディスプレイパネル１１００の第１画面領域（即ち、領域Ａ１１０１）に対応する第１アドレス電極群に接続された第１データドライブ集積回路のｎ番目のチャンネルがダミーチャンネルであれば、第１画面領域（即ち、領域Ａ１１０１）の他方からｎ番目のチャンネルもダミーチャンネルであり、第１画面領域の一方にマッチする第２画面領域（即ち、領域Ｂ１１０２）の一方から第１データドライブ集積回路のｎ番目のチャンネルもダミーチャンネルである。例えば、もしプラズマディスプレイパネル１１００の第１画面領域（即ち、領域Ａ１１０１）の左側端から３番目のチャンネルがダミーチャンネルであれば、領域Ａ１１０１の右側端から３番目のチャンネルもやはりダミーチャンネルである。更に、プラズマディスプレイパネル１１００の第２画面領域（即ち、領域Ｂ１１０２）の左側端から３番目のチャンネルもダミーチャンネルである。
【００５９】
もし、プラズマディスプレイパネル１１００がその中心において対称構造を有すると、有効チャンネル及びダミーチャンネルを有するデータドライブ集積回路は、ダミーチャンネルがプラズマディスプレイパネル１１００の中心の辺りで水平及び垂直に他のデータドライブ集積回路に対称である構造を有する。例えば、図１１の実施形態において、第１データ整列部１１０４から整列されたデータを受信し、領域Ａ１１０１のアドレス電極（即ち、第１アドレス電極群）にデータを供給する第１データドライブ集積回路のうちデータドライブ集積回路Ａは、ダミーチャンネルの配列が同一な領域（即ち、領域Ａ１１０１）の第１データドライブ集積回路のうちデータドライブ集積回路Ｆに対称（即ち、同一）である構造を有する。また、データドライブ集積回路Ａはダミーチャンネルの配列が第２データ整列部１１０５から整列されたデータを受信し、第２画面領域（即ち、領域Ｂ１１０２）の電極（即ち、第２アドレス電極群）にデータを供給する第２データドライブ集積回路のうちデータドライブ集積回路Ａに対称（即ち、同一）である構造を有する。
【００６０】
この場合、対称という用語は、ダミーチャンネルの配列が１つのデータドライブ集積回路内で水平に対称であるので、同一であることを意味する。即ち、使用チャンネルの配列は複数のチャンネルが有効チャンネルとダミーチャンネルとに分けられているデータドライブ集積回路内で水平に対称である。即ち、１つのデータドライブ集積回路内で１番目のチャンネルがダミーチャンネルに設定されると、最後のチャンネルもダミーチャンネルに設定される。
【００６１】
つまり、プラズマディスプレイパネル１１００の第１画面領域（即ち、領域Ａ１１０１）の第１データドライブ集積回路のダミーチャンネルの総個数は、望ましく第２画面領域（即ち、領域Ｂ１１０２）内の第２データドライブ集積回路のダミーチャンネルの総個数と同一である。
【００６２】
前述したように、プラズマディスプレイパネル１１００の第１画面領域及び第２画面領域（即ち、領域Ａ１１０１及び領域Ｂ１１０２）に配列されたデータドライブ集積回路の数は少なくとも４つである。
【００６３】
また、プラズマディスプレイパネル１１００の画面領域のうち第１画面領域（即ち、画領域Ａ１１０１）の一方からｍ番目の第１データドライブ集積回路のチャンネルの数は、第１画面領域の他方からｍ番目の第１データドライブ集積回路のチャンネルの数と、第１画面領域の一方にマッチする第２画面領域の一方からｍ番目の第２データドライブ集積回路のチャンネルの数と同一である。
【００６４】
例えば、図１１において、第１データ整列部１１０４から整列されたデータを受信し、領域Ａ１１０１のアドレス電極（即ち、第１アドレス電極群）にデータを供給する第１データドライブ集積回路のうちデータドライブ集積回路Ａに含まれたチャンネルの数は、同一領域（即ち、領域Ａ１１０１）の第１データドライブ集積回路のうちデータドライブ集積回路Ｆに含まれたチャンネルの数と同一である。このようなチャンネルの数は、更に第２データ整列部１１０５から整列されたデータを受信し、第２画面領域（即ち、領域Ｂ１１０２）のアドレス電極（即ち、第２アドレス電極群）にデータを供給する第２データドライブ集積回路のうちデータドライブ集積回路Ａに含まれたチャンネルの数と同一である。
【００６５】
また、複数の第１データドライブ集積回路のうち１つ以上及び複数の第２データドライブ集積回路のうち１つ以上はそれぞれ１つ以上のダミーチャンネルを有する。
【００６６】
更に、１つ以上のダミーチャンネルを含み、第１画面領域の一方からｍ番目に位置した第１データドライブ集積回路のうち１つのデータドライブ集積回路は、１つ以上のダミーチャンネルを含み、第１画面領域の他方からｍ番目に位置した他の第１データドライブ集積回路のダミーチャンネルの数と同一であり、また１つ以上のダミーチャンネルを含み、第１画面領域の一方にマッチする第２画面領域の一方からｍ番目に位置した第２データドライブ集積回路のうち１つのデータドライブ集積回路のダミーチャンネルの数と同一である。
【００６７】
例えば、もし１０つのダミーチャンネルが領域Ａ１１０１の両端（一方に２つずつ）において、プラズマディスプレイパネル１１００の第１画面領域（即ち、領域Ａ１１０１）に配列された第１データドライブ集積回路のうち４つのそれぞれに含まれると、このダミーチャンネルは領域Ｂ１１０２の両端（一方に２つずつ）において、プラズマディスプレイパネル１１００の第２画面領域（即ち、領域Ｂ１１０２）に配列された第２データドライブ集積回路のうち４つのそれぞれに含まれることができる。
【００６８】
１つ以上のダミーチャンネルを含み、第１画面領域の一方からｍ番目に位置した第１データドライブ集積回路のうち１つのダミーチャンネルの配列は、１つ以上のダミーチャンネルを含み、第１画面領域の他方からｍ番目に位置した第１データドライブ集積回路のうち１つのダミーチャンネルの配列と同一であることができ、また１つ以上のダミーチャンネルを含み、第１画面領域の一方にマッチする第２画面領域の一方からｍ番目に位置した第２データドライブ集積回路のうち１つのダミーチャンネルの配列と同一である。
【００６９】
例えば、もしダミーチャンネルが領域Ａ１１０１の両端（一方に２つずつ）において、プラズマディスプレイパネル１１００の第１画面領域（即ち、領域Ａ１１０１）に配列された第１データドライブ集積回路のうち４つのそれぞれで所定のパターンに配列されると、このダミーチャンネルは領域Ｂ１１０２の両端（一方に２つずつ）において、第２データドライブ集積回路のうち第２画面領域（即ち、領域Ｂ１１０２）に配列された第２データドライブ集積回路のうち４つ内のダミーチャンネルのそれと同じパターンに配列される。
【００７０】
前述したように、ダミーチャンネルの配列は、それぞれ１つ以上のダミーチャンネルを有するデータドライブ集積回路内で対称であることができる。例えば、１つのデータドライブ集積回路が総１０つのチャンネルを有するとき、もし、データドライブ集積回路の１０つのチャンネルのうち一端にある２つがダミーチャンネルであれば、データドライブ集積回路の他端にある２つのチャンネルもダミーチャンネルである。１つのデータドライブ集積回路内のダミーチャンネルの配列は水平に対称である。
【００７１】
より好ましくは、プラズマディスプレイパネル１１００の第１画面領域（即ち、領域Ａ１１０１）においてダミーチャンネルの配列は水平に対称である。第２画面領域（即ち、領域Ｂ１１０２）内のダミーチャンネルの配列も水平に対称であることができる。第１画面領域（即ち、領域Ａ１１０１）内のダミーチャンネルの配列と第２画面領域（即ち、領域Ｂ１１０２）内のダミーチャンネルの配列は、第１画面領域（即ち、領域Ａ１１０１）と第２画面領域（即ち、領域Ｂ１１０２）とを分割する境界（又は中心領域）を中心に対称であることができる。
【００７２】
また、全てのダミーチャンネルは、第１画面領域（即ち、領域Ａ１１０１）の一端に位置した第１データドライブ集積回路と、第１画面領域（即ち、領域Ａ１１０１）の他端に位置した他のデータドライブ集積回路のうち１つに含まれることができる。また、全てのダミーチャンネルは、第２画面領域（即ち、領域Ｂ１１０２）の一端に位置した第２データドライブ集積回路と、第２画面領域（即ち、領域Ｂ１１０２）の他端に位置した他のデータドライブ集積回路とのうち一つに含まれることができる。
【００７３】
例えば、図１１において、プラズマディスプレイパネル１１００の第１画面領域（即ち、領域Ａ１１０１）のアドレス電極（即ち、第１アドレス電極群）に接続されたチャンネルを含む第１データドライブ集積回路のダミーチャンネルの総個数が１００であると仮定すると、総１００個のダミーチャンネルが含まれることができる。即ち、５０個のダミーチャンネルが領域Ａ１１０１の他端にあるデータドライブ集積回路Ａに含まれ、５０個のダミーチャンネルが領域Ｂ１１０２の一端にあるデータドライブ集積回路Ｂに含まれることができる。
【００７４】
また、プラズマディスプレイパネル１１００の第２画面領域（即ち、領域Ｂ１１０２）のアドレス電極（即ち、第２アドレス電極群）に接続されたチャンネルを含む第２データドライブ集積回路のダミーチャンネルの総個数が１００であると仮定すると、総１００個のダミーチャンネルが含まれることができる。即ち、５０個のダミーチャンネルは、領域Ｂ１１０２の一端にある第２データドライブ集積回路のデータドライブ集積回路Ａに含まれることができ、５０個のダミーチャンネルは、領域Ｂ１１０２の他端にある第２データドライブ集積回路のデータドライブ集積回路Ｆに含まれることができる。
【００７５】
本発明の例示的な実施形態によるプラズマディスプレイ装置の駆動方法は、複数の第１データドライブ集積回路にデータを供給し、複数の第２データドライブ集積回路から第２アドレス電極群に供給された第２領域データが第１データドライブ集積回路から第１アドレス電極群に供給された第１領域データにマッチするように前記データを再整列し、複数の第２データドライブ集積回路に前記整列されたデータを供給することを含む。
【００７６】
次に、このようなデータの再整列をより詳しく説明する。データの再整列は、前記第１領域データを複数の第１データドライブ集積回路にそれぞれ対応するデータに逆転させ、第１データドライブ集積回路ごとに前記第１領域データを複数の第１データドライブ集積
回路にそれぞれ対応するデータに逆転させることを含む。
【００７７】
本発明の例示的な実施形態によるプラズマディスプレイ装置の駆動方法において、このようなデータの逆転を図１２ａ乃至図１２ｃを参照して説明する。
【００７８】
図１２ａ乃至図１２ｃは、本発明の例示的な実施形態による図１１のプラズマディスプレイ装置において、データ信号のマッチングのためのデータ信号を駆動し、その順序を調節することを説明するための図である。本発明の範囲内で他の実施形態及び構成も可能である。
【００７９】
図１２ａは、データ信号の順序を調節する前のデータ供給経路を示す。即ち、１つのプラズマディスプレイパネル１２００が２つの領域（即ち、第１画面領域１２０１及び第２画面領域１２０２）に分けられて駆動される配列において、領域１２０１にデータ信号を供給するためのデータドライブ集積回路は３つのデータドライブ集積回路Ａ、Ｂ、Ｃ１２０６に設定でき、領域１２０２にデータ信号を供給するためのデータドライブ集積回路は３つのデータドライブ集積回路Ａ、Ｂ、Ｃ１２０７に設定でき、それぞれのデータドライブ集積回路は６つのチャンネルを有することができる。
【００８０】
このような配列において、第１データ整列部１２０４と第２データ整列部１２０５のデータ供給方向が互いに逆方向である。かかる配列において、データドライブ集積回路Ａ、Ｂ、Ｃ１２０６に供給されるデータ信号とデータドライブ集積回路Ａ、Ｂ、Ｃ１２０７に供給されるデータ信号とが互いに反対である。このとき、データドライブ集積回路Ａ１２０６の有効チャンネルの構造は、データドライブ集積回路Ｃ１２０６、データドライブ集積回路Ａ１２０７、及びデータドライブ集積回路Ｃ１２０７の使用チャンネルの構造と対称（即ち、同一）である。より詳しく説明すれば、データドライブ集積回路Ａ１２０６において、６つのチャンネルのうち１番目のチャンネル及び６番目のチャンネルがダミーチャンネルに設定され、その中央部分の２番目のチャンネルから５番目のチャンネルが有効チャンネルに設定される。また、データドライブ集積回路Ｃ１２０６、データドライブ集積回路Ａ１２０７及びデータドライブ集積回路Ｃ１２０７は、データドライブ集積回路Ａ１２０６のチャンネルと同一な配列を有する。
【００８１】
図１２ｂにおいて、本発明のプラズマディスプレイ装置の駆動方法は、前記第１領域データを複数の第１データドライブ集積回路にそれぞれ対応するデータに逆転させることを含むことができる。
【００８２】
例えば、図１２ａにおける逆データをマッチさせるために、第２データ整列部１２０５からデータ信号を受信するデータドライブ集積回路Ａ、Ｂ、Ｃ１２０７に供給されるデータの順序を逆転させる。即ち、図１２ａにおいて、データドライブ集積回路Ｃに印加されたデータ信号とデータドライブ集積回路Ａに印加されるデータ信号を互いに取り替えたが、データドライブ集積回路Ｂに印加されるデータ信号はそのままにした。
【００８３】
図１２ｃは、それぞれの第１データドライブ集積回路別に図１２ｂにおいて複数の第１データドライブ集積回路にそれぞれ対応するデータに予め逆転された第１領域データを逆転させる例を示す。
【００８４】
図１２ｃでは、図１２ｂで各データドライブ集積回路別に取り替えられたデータの順序は、データドライブ集積回路の夫々で変わる。例えば、図１２ｂにおいて、データドライブ集積回路Ａ１２０７に供給されるデータは４、３、２、１の順であった。このようなデータの順序は、データドライブ集積回路Ａ１２０６と逆順である。従って、図１２ｃでデータドライブ集積回路Ａ１２０７に供給されるデータの順序を逆転させることにより図１２ｃに示したような１、２、３、４の順序を有するようにする。
【００８５】
つまり、プラズマディスプレイパネルの全ての電極ラインの総個数と全てのデータドライブ集積回路に含まれたチャンネルの総個数が異なっても、２段階補正処理を経て第１データ整列部１２０４から供給されるデータ信号と第２データ整列部１２０５から供給されるデータ信号とがマッチできるようになる。従って、従来及び／又は不利な配列と比較してデータ処理工程を単純化できる。
【００８６】
以上説明したように、データの順序が制御されれば、第１データドライブ集積回路に供給されるデータと第２データドライブ集積回路に供給されるデータとがプラズマディスプレイパネルの一方から同一の順序で適用可能である。
【００８７】
１９２０個の放電セル（即ち、５７６０アドレス電極ライン）を有するプラズマディスプレイパネルとそれぞれ２５６個のチャンネルを有するデータドライブ集積回路との    間の電気的接続に本発明を適用する例を図１３を参照して次のように説明する。
【００８８】
特に、図１３は、本発明の例示的な実施形態による５７６０個のアドレス電極ラインを有するプラズマディスプレイパネルと、２５６個のチャンネルをそれぞれ有するデータドライブ集積回路とを電気的に接続する方法を説明するための図である。本発明の範囲内で他の実施形態及び構成も可能である。
【００８９】
図１３に示すように、１つのプラズマディスプレイパネル１３００は、２つの領域（即ち、第１画面領域１３０１及び第２画面領域１３０２）に分けられる。これらの２つの領域１３０１、１３０２にそれぞれ２３個のデータドライブ集積回路が取り付けられ、領域１３０１、１３０２のそれぞれに対応するアドレス電極にデータ信号を供給する。また、領域１３０１にデータ信号を供給するためのデータドライブ集積回路は、第１データ整列部１３０４から整列されたデータを受信し、領域１３０２にデータ信号を供給するためのデータドライブ集積回路は、第２データ整列部１３０５から整列されたデータを受信する。
【００９０】
領域１３０１（即ち、プラズマディスプレイパネル１３００の一方から一番目のデータドライブ集積回路）に対応するアドレス電極にデータ信号を供給するためのデータドライブ集積回路のデータドライブ集積回路Ａと、データドライブ集積回路Ｗ（即ち、プラズマディスプレイパネル１３００の他方から一番目のデータドライブ集積回路）とは、同一の配列のダミーチャンネルを有する。この例において、６４個のチャンネルがダミーチャンネルに設定される。従って、領域１３０１にデータ信号を供給するためのデータドライブ集積回路のチャンネルの総個数のうち有効チャンネルの個数は、（２５６×２３）−（６４×２）＝５６７０である。
【００９１】
更に、領域１３０１にデータ信号を供給するためのデータドライブ集積回路のうちデータドライブ集積回路Ａは、領域１３０２の一端から、プラズマディスプレイパネル１３００の画面領域の第２画面領域（即ち、領域１３０２）に対応するアドレス電極にデータ信号を供給するデータドライブ集積回路のうち一番目のデータドライブ集積回路（即ち、データドライブ集積回路Ａ）と同じダミーチャンネルの配列構造を有し、またプラズマディスプレイパネル１３００の画面領域１３０２の他端から一番目のデータドライブ集積回路（即ち、データドライブ集積回路Ｗ）と同じダミーチャンネルの配列構造を有する。
【００９２】
即ち、図１３は、チャンネルが有効チャンネルとダミーチャンネルに区分されるデータドライブ集積回路の個数が４つである例を示している。
【００９３】
この例において、領域１３０１に対応するアドレス電極にデータ信号を供給するためのデータドライブ集積回路Ａ及びデータドライブ集積回路Ｗ、及び領域Ｂ１３０２に対応するアドレス電極にデータ信号を供給するためのデータドライブ集積回路Ａ及びデータドライブ集積回路Ｗのより詳細な構造を図１４を参照して次のように説明する。
【００９４】
図１４は、本発明の例示的な実施形態による図１３の配列において、チャンネルが有効チャンネル（valid channel）とダミーチャンネル（dummy channel）とに区分されるデータドライブ集積回路（data drive IC）の構造を示す図である。本発明の範囲内で他の実施形態及び構成も可能である。
【００９５】
図１４に示すように、図１３で領域１３０１に対応するアドレス電極にデータ信号を供給するためのデータドライブ集積回路Ａ及びデータドライブ集積回路Ｗ、及び領域１３０２に対応するアドレス電極にデータ信号を供給するためのデータドライブ集積回路Ａ及びデータドライブ集積回路Ｗと同様に、チャンネルが有効チャンネルとダミーチャンネルに区分されるデータドライブ集積回路において、１番目のチャンネルから２５６番目のチャンネルまでの総２５６個のチャンネルの中で１番目のチャンネルから３２番目のチャンネルまでをダミーチャンネルに設定し、また２２５番目のチャンネルから２５６番目のチャンネルまでをダミーチャンネルに設定する。すなわち、総６４個のチャンネル（即ち、左右側それぞれ３２個）をダミーチャンネルに設定する。従って、データドライブ集積回路の中央部の３３番目のチャンネルから２２４番目のチャンネルまでが有効チャンネルに設定されるものである。
【００９６】
図１３及び図１４は、有効チャンネルとダミーチャンネルに区分されるデータドライブ集積回路の個数が４つである例に関するものである。しかし、データドライブ集積回路の個数を５以上に設定してもよい。この例を図１５を参照して次のように説明する。
【００９７】
図１５は、本発明の例示的な実施形態による５７６０個のアドレス電極ラインを有するプラズマディスプレイパネルと２５６個のチャンネルをそれぞれ有するデータドライブ集積回路とを電気的に接続する方法を説明するための図である。本発明の範囲内で他の実施形態及び構成も可能である。
【００９８】
図１５では、図１３の例とは異なり、プラズマディスプレイパネル１５００の領域１５０１の一方から、領域１５０１に対応するアドレス電極にデータ信号を供給するデータドライブ集積回路のうち一番目のもの（即ち、データドライブ集積回路Ａ）と、プラズマディスプレイパネル１５００の領域１５０１の他方から、領域１５０１に対応するアドレス電極にデータ信号を供給するデータドライブ集積回路のうち一番目のもの（即ち、データドライブ集積回路Ｗ）とは、同一のダミーチャンネルの配列構造を有する。そして、プラズマディスプレイパネル１５００の領域１５０１の一方から、領域１５０１に対応するアドレス電極にデータ信号を供給するデータドライブ集積回路のうち２番目のもの（即ち、データドライブ集積回路Ｂ）と、プラズマディスプレイパネル１５００の領域１５０１の他方から、領域１５０１に対応するアドレス電極にデータ信号を供給するデータドライブ集積回路のうち２番目のもの（即ち、データドライブ集積回路Ｖ）とは、同一のダミーチャンネルの配列構造を有する。
【００９９】
このように、データドライブ集積回路（ＣとＵ、ＤとＴ、ＥとＳ、ＦとＲ、ＧとＱ、ＨとＰ）はそれぞれ同一なダミーチャンネルの構造を有する。また、８つずつのチャンネルがダミーチャンネルに設定される。従って、領域１５０１に対応するアドレス電極にデータ信号を供給するためのデータドライブ集積回路の全てのチャンネルのうち有効チャンネルの数は、（２５６×２３）―（８×１６）＝５７６０となる。このように、複数のデータドライブ集積回路のうちチャンネルが有効チャンネルとダミーチャンネルに区分されるデータドライブ集積回路は複数個であり、複数のデータドライブ集積回路内で有効チャンネルの個数は全部同一である。このような方法は、図１３の例示的な実施形態と比較して、１つのデータドライブ集積回路に付加されるロード値が総８個のデータドライブ集積回路に分散されることで、より安定した駆動を可能にする。
【０１００】
図１５の例は有効チャンネル及びダミーチャンネルを含むデータドライブ集積回路の個数と、該データドライブ集積回路における有効チャンネル及びダミーチャンネルの個数とが相異なるだけで、図１３の例示的な実施形態と比較してみれば実質的に同一である。よって、説明の便宜上、重複される説明は省略する。
【０１０１】
この場合、領域１５０１に対応するアドレス電極にデータ信号を供給するためのデータドライブ集積回路Ａ、Ｂ、Ｃ、Ｄ、Ｅ、Ｆ、Ｇ、Ｈとデータドライブ集積回路Ｐ、Ｑ、Ｒ、Ｓ、Ｔ、Ｕ、Ｖ、Ｗ、及び領域１５０２に対応するアドレス電極にデータ信号を供給するためのデータドライブ集積回路Ａ、Ｂ、Ｃ、Ｄ、Ｅ、Ｆ、Ｇ、Ｈとデータドライブ集積回路Ｐ、Ｑ、Ｒ、Ｓ、Ｔ、Ｕ、Ｖ、Ｗのより詳細な構造を図１６を参照して以下に説明する。
【０１０２】
図１６は、本発明の例示的な実施形態による図１５の配列において、チャンネルが有効チャンネルとダミーチャンネルに区分されるデータドライブ集積回路の構造を示す図である。本発明の範囲内で他の実施形態及び構成も可能である。
【０１０３】
図１６を参照すると、領域１５０１に対応するアドレス電極にデータ信号を供給するためのデータドライブ集積回路Ａ、Ｂ、Ｃ、Ｄ、Ｅ、Ｆ、Ｇ、Ｈとデータドライブ集積回路Ｐ、Ｑ、Ｒ、Ｓ、Ｔ、Ｕ、Ｖ、Ｗ、及び領域１５０２に対応するアドレス電極にデータ信号を供給するためのデータドライブ集積回路Ａ、Ｂ、Ｃ、Ｄ、Ｅ、Ｆ、Ｇ、Ｈとデータドライブ集積回路Ｐ、Ｑ、Ｒ、Ｓ、Ｔ、Ｕ、Ｖ、Ｗのように、チャンネルが有効チャンネルとダミーチャンネルに区分されるデータドライブ集積回路において、１番目のチャンネルから２５６番目のチャンネルまでの総２５６個のチャンネルの中で、１番目のチャンネルから４番目のチャンネルまでをダミーチャンネルに設定し、また２５３番目のチャンネルから２５６番目のチャンネルをダミーチャンネルに設定する。即ち、総８個のチャンネル（左右４つずつ）をダミーチャンネルに設定する。従って、データドライブ集積回路の中央部の５番目のチャンネルから２５２番目のチャンネルまでが有効チャンネルに設定されるものである。
【０１０４】
図１３乃至図１６は、チャンネルが有効チャンネルとダミーチャンネルに区分されないデータドライブ集積回路が存在する例を示す。しかし、これと異なり、全ての複数のデータドライブ集積回路において、チャンネルは有効チャンネルとダミーチャンネルに区分されることもできる。このような方法を図１７を参照して以下に説明する。
【０１０５】
図１７は、本発明の例示的な実施形態による５７６０個のアドレス電極ラインを有するプラズマディスプレイパネルと２５６個のチャンネルをそれぞれ有するデータドライブ集積回路とを電気的に接続する方法を説明するための図である。本発明の範囲内で他の実施形態及び構成も可能である。
【０１０６】
図１７において、図１３及び図１５の例とは異なり、全てのデータドライブ集積回路において、チャンネルが有効チャンネルとダミーチャンネルに分けられる。例えば、プラズマディスプレイパネル１７００の領域１７０１の一端から、領域１７０１に対応するアドレス電極にデータ信号を供給するためのデータドライブ集積回路のうち一番目のもの（即ち、データドライブ集積回路Ａ）と、プラズマディスプレイパネル１７００の領域１７０１の他端から、１番目のデータドライブ集積回路（即ち、データドライブ集積回路Ｗ）とは、互いに同一の有効チャンネルの配列構造を有する。また、プラズマディスプレイパネル１７００の一端から、領域１７０１に対応するアドレス電極にデータ信号を供給するためのデータドライブ集積回路のうち２番目のもの（即ち、データドライブ集積回路Ｂ）と、プラズマディスプレイパネル１７００の領域１７０１の他端から、２番目のデータドライブ集積回路（即ち、データドライブ集積回路Ｖ）とは、互いに同一の有効チャンネルの配列構造を有する。
【０１０７】
このように、データドライブ集積回路（ＣとＵ、ＤとＴ、ＥとＳ、ＦとＲ、ＧとＱ、ＨとＰ）はそれぞれ同一な構造を有し、そして、データドライブ集積回路（ＣとＵ、ＤとＴ、ＥとＳ、ＦとＲ、ＧとＱ、ＨとＰ）のそれぞれにおいて６つのチャンネルがダミーチャンネルに設定される。また、データドライブ集積回路（ＩとＯ、ＪとＮ、ＫとＭ）がそれぞれ同一な有効チャンネルの配列構造を有し、データドライブ集積回路（ＩとＯ、ＪとＮ、ＫとＭ）のそれぞれにおいて４つずつのチャンネルがダミーチャンネルに設定される。更に、データドライブ集積回路Ｌでは８つのチャンネルがダミーチャンネルに設定される。
【０１０８】
このため、領域１７０１に対応するアドレス電極にデータ信号を供給するためのデータドライブ集積回路の全てのチャンネルのうち有効チャンネルの数は、（２５６×２３）―｛（６×１６）＋（４×６）＋（８×１）｝＝５７６０となる。このように、全てのデータドライブ集積回路において、チャンネルが有効チャンネルとダミーチャンネルに区分される。このような方法は、図１５の例と比較して１つのデータドライブ集積回路に付加されるロード値が総２３個のデータドライブ集積回路に均一に分散されることで、より安定した駆動ができるようになる。
【０１０９】
次に、図１８ａないし図１８ｃを参照してデータドライブ集積回路の構造を詳しく説明する。
【０１１０】
図１８ａ乃至図１８ｃは、本発明の例示的な実施形態による図１７の配列において、チャンネルが有効チャンネルとダミーチャンネルに区分されるデータドライブ集積回路Ａの構造を示す図である。本発明の範囲内で他の実施形態及び構成も可能である。
【０１１１】
図１８ａを参照すると、領域１７０１に対応するアドレス電極にデータ信号を供給するためのデータドライブ集積回路Ａ、Ｂ、Ｃ、Ｄ、Ｅ、Ｆ、Ｇ、Ｈとデータドライブ集積回路Ｐ、Ｑ、Ｒ、Ｓ、Ｔ、Ｕ、Ｖ、Ｗ、及び領域１７０２に対応するアドレス電極にデータ信号を供給するためのデータドライブ集積回路Ａ、Ｂ、Ｃ、Ｄ、Ｅ、Ｆ、Ｇ、Ｈとデータドライブ集積回路Ｐ、Ｑ、Ｒ、Ｓ、Ｔ、Ｕ、Ｖ、Ｗのように、６つのチャンネルがダミーチャンネルに分類されるデータドライブ集積回路において、１番目のチャンネルから２５６番目のチャンネルまでの総２５６個のチャンネルの中で、１番目のチャンネルから３番目のチャンネルまでをダミーチャンネルに設定し、また２５４番目のチャンネルから２５６番目のチャンネルまでをダミーチャンネルに設定する。即ち、総６個のチャンネル（左右３つずつ）をダミーチャンネルに設定する。従って、データドライブ集積回路の中央部の４番目のチャンネルから２５３番目のチャンネルまでが有効チャンネルに設定されるものである。
【０１１２】
図１８Ｂを参照すると、領域１７０１に対応するアドレス電極にデータ信号を供給するためのデータドライブ集積回路Ｉ、Ｊ、Ｋとデータドライブ集積回路Ｍ、Ｎ、Ｏ、及び領域１７０２に対応するアドレス電極にデータ信号を供給するためのデータドライブ集積回路Ｉ、Ｊ、Ｋとデータドライブ集積回路Ｍ、Ｎ、Ｏのように、総４つのチャンネルがダミーチャンネルに分類されるデータドライブ集積回路において、１番目のチャンネルから２５６番目のチャンネルまでの総２５６個のチャンネルの中で、１番目のチャンネル及び２番目のチャンネルをダミーチャンネルに設定し、また２５５番目のチャンネル及び２５６番目のチャンネルをダミーチャンネルに設定する。即ち、総４個のチャンネル（左右２つずつ）をダミーチャンネルに設定する。従って、データドライブ集積回路の中央部の３番目のチャンネルから２５４番目のチャンネルまでが有効チャンネルに設定されるものである。
【０１１３】
図１８ｃを参照すると、領域１７０１に対応するアドレス電極にデータ信号を供給するためのデータドライブ集積回路Ｌ及び領域１７０２に対応するアドレス電極にデータ信号を供給するためのデータドライブ集積回路Ｌのように、８つのチャンネルがダミーチャンネルに分類されるデータドライブ集積回路において、１番目のチャンネルから２５６番目のチャンネルまでの総２５６個のチャンネルの中で、１番目のチャンネルから４番目のチャンネルまでをダミーチャンネルに設定し、また２５３番目のチャンネルから２５６番目のチャンネルまでをダミーチャンネルに設定する。即ち、総８個のチャンネル（左右４つずつ）をダミーチャンネルに設定する。従って、データドライブ集積回路の中央部の５番目のチャンネルから２５２番目のチャンネルまでが有効チャンネルに設定されるものである。
【０１１４】
以上のように、デュアルスキャン方式が適用され、表示面としての役割をするプラズマディスプレイパネルが２つの領域に分割されて駆動される本発明の例示的な実施形態によるプラズマディスプレイ装置を説明した。このような方法は、プラズマディスプレイパネルのサイズが割りに大きいとき、より効果的である。
【０１１５】
たとえ、本発明の実施形態をプラズマディスプレイパネルと関連して説明したが、本発明は液晶表示装置（ＬＣＤ）、有機発光ダイオード（ＯＬＥＤ）及び電界放出ディスプレイ（ＦＥＤ）のようなフラットディスプレイ素子にも適用可能である。
【０１１６】
例えば、ＬＣＤにおいて、画像を表示するための複数のピクセルがプラズマディスプレイパネルと類似したＬＣＤに形成されることができる。ＬＣＤはこれらのピクセル及び駆動部に画像データを供給するための電極を含む。また、サイズの増加につれ、ＬＣＤは画像データのノイズ発生、スキャン時間などの点に照らしてみるとき、１つの走査工程によって全てのピクセルをスキャンすることが不利になる。
【０１１７】
従って、デュアルスキャン方式はディスプレイ領域が２つの領域に分割され、且つ分割された領域が個別的にスキャンされるＬＣＤに適用できる。つまり、ダミーチャンネル及び有効チャンネルは前述したデュアルスキャン方式によって相互分割されている。従って、実施例はプラズマディスプレイパネルに限定されるものではなく、ＬＣＤのようなフラットディスプレイに適用可能である。
【０１１８】
これから、多様な特徴及び実施形態について説明する。多様な特徴及び／または実施形態のそれぞれはただ例示的なものに過ぎず、本発明の範囲内に属するものである。
【０１１９】
本発明の例示的な実施形態によれば、第１及び第２画面領域にそれぞれ対応して、互いにマッチする第１及び第２アドレス電極群を有するプラズマディスプレイパネルを具備するプラズマディスプレイ装置が提供される。第１アドレス電極群に接続されたチャンネルを含む第１データドライブ集積回路が提供される。第２アドレス電極群に接続されたチャンネルを含む第２データドライブ集積回路も提供される。第１画面領域の第１側から第１データドライブ集積回路のｎ番目のチャンネルはダミーチャンネルであり、第１画面領域の第２側からｎ番目のチャンネルはダミーチャンネルであり、そして第１画面領域の第１側にマッチす第２画面領域の第１側から第２データドライブ集積回路のｎ番目のチャンネルもダミーチャンネルである。
【０１２０】
ダミーチャンネルはデータが供給されない第１及び第２アドレス電極群に接続されないチャンネルである。ダミーチャンネル以外のチャンネルはデータが供給される有効チャンネルである。
【０１２１】
第１データドライブ集積回路の数と第２データドライブ集積回路の数は、互いに等しいことができる。
【０１２２】
第１画面領域の第１側からｍ番目の第１データドライブ集積回路のチャンネルの数は、第１画面領域の第２側からｍ番目の第１データドライブ集積回路のチャンネルの数と、第１画面領域の第１側にマッチする第２画面領域の第１側からｍ番目の第２データドライブ集積回路のチャンネルの数と同一である。
【０１２３】
第１データドライブ集積回路及び第２データドライブ集積回路の数は複数である。
【０１２４】
第１データドライブ集積回路のチャンネルの数と第２データドライブ集積回路のチャンネルの数は互いに等しいことができる。
【０１２５】
第１データドライブ集積回路のうち１つ以上及び第２データドライブ集積回路のうち１つ以上は、少なくとも１つ以上のダミーチャンネルを含むことができる。
【０１２６】
前記ダミーチャンネルは、データドライブ集積回路内で水平に対称である配列を有する。
【０１２７】
１つ以上のダミーチャンネルを有する第１画面領域の第１側からｍ番目の第１データドライブ集積回路のダミーチャンネルの数は、１つ以上のダミーチャンネルを有する第１画面領域の第２側からｍ番目の第１データドライブ集積回路のダミーチャンネルの数、かつ１つ以上のダミーチャンネルを有する第１画面領域の第１側にマッチする第２画面領域の第１側からｍ番目の第２データドライブ集積回路のダミーチャンネルの数と同一である。
【０１２８】
１つ以上のダミーチャンネルを有する第１画面領域の第１側からｍ番目の第１データドライブ集積回路のダミーチャンネルの配列は、１つ以上のダミーチャンネルを有する第１画面領域の第２側からｍ番目の第１データドライブ集積回路のダミーチャンネルの配列、かつ１つ以上のダミーチャンネルを有する第１画面領域の第１側にマッチする第２画面領域の第１側からｍ番目の第２データドライブ集積回路のダミーチャンネルの配列と同一であることができる。
【０１２９】
第１データドライブ集積回路のそれぞれ及び第２データドライブ集積回路のうち１つ以上は、少なくとも１つ以上のダミーチャンネルを含むことができる。
【０１３０】
第１データドライブ集積回路のうち少なくとも１つの全てのチャンネル及び第２データドライブ集積回路のうち少なくとも１つの全てのチャンネルはデータが供給される有効チャンネルであることができる。
【０１３１】
第１画面領域の第１側端に位置した第１データドライブ集積回路及び第１画面領域の第２側端に位置した他の第１データドライブ集積回路のうち一つは全てのダミーチャンネルを含むことができる。
【０１３２】
第２画面領域の第１側端に位置した第２データドライブ集積回路及び第２画面領域の第２側端に位置した他の第２データドライブ集積回路のうち一つは全てのダミーチャンネルを含むことができる。
【０１３３】
第１画面領域における第１データドライブ集積回路のダミーチャンネルの総個数は、第２画面領域における第２データドライブ集積回路のダミーチャンネルの総個数と等しいことができる。
【０１３４】
第１画面領域におけるダミーチャンネルの配列は水平に対称であることができる。第２画面領域におけるダミーチャンネルの配列は水平に対称であることができる。第１画面領域におけるダミーチャンネルの配列と第２画面領域におけるダミーチャンネルの配列とは、第１画面領域と第２画面領域との間の境界の辺りで互いに対称であることができる。
【０１３５】
第１データドライブ集積回路及び第２データドライブ集積回路のそれぞれは、その数が４つ以上であることができる。
【０１３６】
本発明の実施形態はプラズマディスプレイ装置の駆動方法を提供する。これは、第１データドライブ集積回路にデータを印加し、第２データドライブ集積回路から第２アドレス電極群から供給される第２領域データが第１データドライブ集積回路から第１アドレス電極群に印加される第１領域データにマットするように前記データを再整列することを含む。
【０１３７】
前記再整列されたデータは第２データドライブ集積回路に印加できる。
【０１３８】
データの再整列は、前記第１領域データを第１データドライブ集積回路にそれぞれ対応するデータに逆転させ、第１データドライブ集積回路に対応する前記データに逆転された第１領域データを第１データドライブ集積回路別に逆転させることを含むことができる。
【０１３９】
第１データドライブ集積回路に印加されるデータ、及び第２データドライブ集積回路に印加されるデータは、プラズマディスプレイパネルの第１側から同一な順序で印加できる。
【０１４０】
このように、前述した本発明の技術的構成は、本発明の属する技術分野における当業者が本発明のその技術的思想や必須的な特徴を変更しない限り、他の具体的な形態で実施できることは明らかである。従って、以上のように説明した実施形態は全ての面で例示的なものに過ぎず、これに限定されるわけではないし、本発明の範囲は前述した詳細な説明よりも、特許請求範囲により規定され、特許請求範囲の意味及び範囲、そしてその等価概念から導出される全ての変更又は変形された形態も本発明の範囲に属するものと解釈されるべきである。
【図面の簡単な説明】
【０１４１】
【図１】例示的な構成によるプラズマディスプレイパネルを示す斜視図。
【図２】例示的な構成によるプラズマディスプレイパネルにおける電極の配列を示す図。
【図３】例示的な構成によるデュアルスキャン方式を説明するための図。
【図４】例示的な構成によるデュアルスキャン方式における駆動部の接続構造を説明するための図。
【図５】例示的な構成によるプラズマディスプレイ装置で具現される画像を説明するための図。
【図６】例示的な構成によるプラズマディスプレイパネルの２つの領域に供給されるデータ信号をマッチさせる方法を説明するための図。
【図７】例示的な構成によるプラズマディスプレイパネルの２つの領域に供給されるデータ信号をマッチさせる方法を説明するための図。
【図８ａ】例示的な構成によるデータ信号をマッチさせるためのデータ信号の順序を説明するための図。
【図８ｂ】例示的な構成によるデータ信号をマッチさせるためのデータ信号の順序を説明するための図。
【図８ｃ】例示的な構成によるデータ信号をマッチさせるためのデータ信号の順序を説明するための図。
【図９】例示的な構成による一つのデータドライブ集積回路が２５６個のチャンネルを有する例を説明するための図。
【図１０ａ】例示的な構成による図９の配列において、データ信号のマッチングのためにデータ信号を順序を調節することを説明するための図。
【図１０ｂ】例示的な構成による図９の配列において、データ信号のマッチングのためにデータ信号を順序を調節することを説明するための図。
【図１０ｃ】例示的な構成による図９の配列において、データ信号のマッチングのためにデータ信号を順序を調節することを説明するための図。
【図１１】本発明の例示的な実施形態によるプラズマディスプレイ装置を説明するための図。
【図１２ａ】本発明の例示的な実施形態による図１１のプラズマディスプレイ装置において、データ信号のマッチングのためのデータ信号を駆動し、その順序を調節することを説明するための図。
【図１２ｂ】本発明の例示的な実施形態による図１１のプラズマディスプレイ装置において、データ信号のマッチングのためのデータ信号を駆動し、その順序を調節することを説明するための図。
【図１２ｃ】本発明の例示的な実施形態による図１１のプラズマディスプレイ装置において、データ信号のマッチングのためのデータ信号を駆動し、その順序を調節することを説明するための図。
【図１３】本発明の例示的な実施形態による５７６０個のアドレス電極ラインを有するプラズマディスプレイパネルと２５６個のチャンネルをそれぞれ有するデータドライブ集積回路とを電気的に接続する方法を説明するための図。
【図１４】本発明の例示的な実施形態による図１３の配列において、チャンネルが有効チャンネル（valid channel）とダミーチャンネル（dummy channel）に区分されるデータドライブ集積回路（data drive IC）の構造を示す図。
【図１５】本発明の例示的な実施形態による５７６０個のアドレス電極ラインを有するプラズマディスプレイパネルと２５６個のチャンネルをそれぞれ有するデータドライブ集積回路とを電気的に接続する方法を説明するための図。
【図１６】本発明の例示的な実施形態による図１５の配列において、チャンネルが有効チャンネルとダミーチャンネルに区分されるデータドライブ集積回路の構造を示す図。
【図１７】本発明の例示的な実施形態による５７６０個のアドレス電極ラインを有するプラズマディスプレイパネルと２５６個のチャンネルをそれぞれ有するデータドライブ集積回路とを電気的に接続する方法を説明するための図。
【図１８ａ】本発明の例示的な実施形態による図１７の配列において、チャンネルが有効チャンネルとダミーチャンネルに区分されるデータドライブ集積回路Ａの構造を示す図。
【図１８ｂ】本発明の例示的な実施形態による図１７の配列において、チャンネルが有効チャンネルとダミーチャンネルに区分されるデータドライブ集積回路Ａの構造を示す図。
【図１８ｃ】本発明の例示的な実施形態による図１７の配列において、チャンネルが有効チャンネルとダミーチャンネルに区分されるデータドライブ集積回路Ａの構造を示す図。
【図１】
2006293357.tif 000003
【図２】
2006293357.tif 000004
【図３】
2006293357.tif 000005
【図４】
2006293357.tif 000006
【図５】
2006293357.tif 000007
【図６】
2006293357.tif 000008
【図７】
2006293357.tif 000009
【図８ａ】
2006293357.tif 000010
【図８ｂ】
2006293357.tif 000011
【図８ｃ】
2006293357.tif 000012
【図９】
2006293357.tif 000013
【図１０ａ】
2006293357.tif 000014
【図１０ｂ】
2006293357.tif 000015
【図１０ｃ】
2006293357.tif 000016
【図１１】
2006293357.tif 000017
【図１２ａ】
2006293357.tif 000018
【図１２ｂ】
2006293357.tif 000019
【図１２ｃ】
2006293357.tif 000020
【図１３】
2006293357.tif 000021
【図１４】
2006293357.tif 000022
【図１５】
2006293357.tif 000023
【図１６】
2006293357.tif 000024
【図１７】
2006293357.tif 000025
【図１８ａ】
2006293357.tif 000026
【図１８ｂ】
2006293357.tif 000027
【図１８ｃ】
2006293357.tif 000028